(57)【要約】【課題】データの欠落や変動のない正しいスキャナ画像データを画像信号処理部へと伝送する。【解決手段】イメージセンサ１８、増幅器１９、Ａ／Ｄ変換器２０、ドライバ回路２１から構成されるセンサ部７と、センサ部７から出力されるディジタル画像信号を画像信号処理部８に伝送する伝送線路２８が形成されている伝送部２７と、がフレキシブルプリント基板２２上に一体に形成される。更に、画像信号処理部８のプリント基板２９上に搭載されているレシーバ回路２４、シェーディング補正回路２５が、伝送部２７の画像信号処理部８との接続端側に近接した位置に搭載されることとしてもよい。【選択図】  図２
2004266601.tif 000002
【特許請求の範囲】
【請求項１】
フレキシブルプリント基板上に、原稿画像をアナログ電気信号に変換するイメージセンサ及び前記アナログ電気信号をディジタル信号に変換してディジタル画像信号を出力するＡ／Ｄ変換器が搭載されてなるセンサ部と、
プリント基板上に、前記ディジタル画像信号に基づいて画像処理を行うための回路部品が搭載され、前記センサ部のフレキシブルプリント基板と距離を置いて配置される画像信号処理部と、
フレキシブルプリント基板上に、前記センサ部から出力されるディジタル画像信号を前記画像信号処理部に伝送する伝送線路が形成されてなる伝送部と、
を備え、
前記センサ部のフレキシブルプリント基板と前記伝送部のフレキシブルプリント基板とを一体に形成したことを特徴とする画像読取装置。
【請求項２】
請求項１に記載の画像読取装置において、
前記伝送部のフレキシブルプリント基板上に、前記画像信号処理部の回路部品の一部が搭載されていることを特徴とする画像読取装置。
【請求項３】
請求項１に記載の画像読取装置において、
前記センサ部のフレキシブルプリント基板上に、前記ディジタル画像信号を送信するドライバ回路が更に搭載され、
前記伝送部のフレキシブルプリント基板上の前記画像信号処理部との接続端側に近接した位置に、前記ディジタル画像信号を受信するレシーバ回路が搭載されていることを特徴とする画像読取装置。
【請求項４】
請求項１に記載の画像読取装置において、
前記センサ部のフレキシブルプリント基板上に、前記ディジタル画像信号を送信するドライバ回路が更に搭載され、
前記伝送部のフレキシブルプリント基板上の前記画像信号処理部との接続端側に近接した位置に、前記ディジタル画像信号を受信するレシーバ回路と、前記レシーバ回路により受信されたディジタル画像信号にシェーディング補正を行うシェーディング補正回路が搭載されていることを特徴とする画像読取装置。
【請求項５】
請求項３又は４に記載の画像読取装置において、
前記ドライバ回路及び前記レシーバ回路は、低電圧差動回路であることを特徴とする画像読取装置。
【請求項６】
請求項３〜５のいずれか一項に記載の画像読取装置において、
前記ドライバ回路は、前記ディジタル画像信号をパラレル信号からシリアル信号に変換する回路を含み、
前記レシーバ回路は、前記ディジタル画像信号をシリアル信号からパラレル信号に変換する回路を含むことを特徴とする画像読取装置。
【請求項７】
請求項１〜６のいずれか一項に記載の画像読取装置を備えたことを特徴とする画像形成装置。
【発明の詳細な説明】
【０００１】
【発明の属する技術分野】
本発明は、画像読取装置及び画像読取装置を備えた画像形成装置に関する。
【０００２】
【従来の技術】
近年、ディジタル複写機において高速化の傾向が強まり、それに伴い画像読取系から画像信号処理系に伝送される画像データの伝送速度も高速化されている。そのため、画像データ伝送には、従来から用いられていたシングル伝送方式から、高速伝送に耐え得る差動伝送方式が使用されるようになってきている。
【０００３】
差動伝送方式では、１つの信号から信号（＋線）と反転信号（−線）の２相の信号を発生し、２本の信号線を用いて伝送する。＋線と−線の電気的等価性を確保するため、等長で平行な線路が必要となる。そこで、＋線と−線を線対称に配置し、フレキシブルプリント基板（Ｆｌｅｘｉｂｌｅ  Ｐｒｉｎｔｅｄ  Ｃｉｒｃｕｉｔ：ＦＰＣ）で構成した伝送線路基板が提案されている（例えば、特許文献１参照。）。
【０００４】
図９は、従来の画像読取装置３１の模式図である。図９に示すように、画像読取装置３１は、スキャナ部３２と、センサ部３３と、伝送部３４と、画像信号処理部３５と、を備える。
【０００５】
スキャナ部３２は、原稿ガラス１４と、光源１５と、ミラー群１６ａ，１６ｂ，１６ｃと、レンズ１７と、を備える。
【０００６】
まず、原稿ガラス１４に置かれた原稿３７に光源１５から光が照射される。原稿３７で反射された反射光はミラー群１６ａ，１６ｂ，１６ｃを介して、レンズ１７により集光される。光源１５と、ミラー群１６ａ，１６ｂ，１６ｃと、は図示しない機構により図９に示すＸ方向に移動し、原稿各点の濃淡に応じた反射光がレンズ１７に入射される。
【０００７】
図１０に、従来の画像読取装置３１のセンサ部３３と画像信号処理部３５の接続例を示す。センサ部３３は、プリント基板３９上にイメージセンサ１８、増幅器１９、Ａ／Ｄ変換器２０、ドライバ回路２１が搭載されて構成されている。レンズ１７によって集光された光は、イメージセンサ１８によりアナログ電気信号に変換される。アナログ電気信号は、増幅器１９で増幅された後、Ａ／Ｄ変換器２０によりディジタル画像信号に変換される。ディジタル画像信号は、ドライバ回路２１によってパラレル信号から低電圧差動のシリアル信号へと変換され、画像信号処理部３５側へ送り出される。
【０００８】
伝送部３４には、センサ部３３から出力されるディジタル画像信号を画像信号処理部３５に伝送する伝送線路４１が形成されている。伝送部３４として、フレキシブルプリント基板やフレキシブルフラットケーブル（Ｆｌｅｘｉｂｌｅ  Ｆｌａｔ  Ｃａｂｌｅ：ＦＦＣ）等が用いられている。図１０に示すように、センサ部３３と伝送部３４、画像信号処理部３５と伝送部３４はコネクタ３６ａ，３６ｂにより接続されている。
【０００９】
図１０に示すように、画像信号処理部３５は、プリント基板４０上にレシーバ回路２４、シェーディング補正回路２５、画像処理回路２６が搭載されて構成されている。伝送部３４を介して画像信号処理部３５に伝送されたディジタル画像信号は、レシーバ回路２４によって受信され、低電圧差動のシリアル信号からパラレル信号へと変換される。そして、シェーディング補正回路２５によってシェーディング補正が施され、画像処理回路２６によって画像処理が行われる。画像読取装置３１の各部は、制御部３８により制御される。
【００１０】
【特許文献１】
特開平１１−１８６６７４号公報
【００１１】
【発明が解決しようとする課題】
しかしながら、高速のデータ伝送を行う場合には、伝送線路の特性インピーダンスを回路のインピーダンスに合致させないと、伝送速度が速くなればなるほどデータの欠落やデータの変動が生じ、正しい伝送ができなくなる。
【００１２】
画像読取装置において、センサ部と画像信号処理部との間の伝送線路は、２００ｍｍから６００ｍｍの長さになる場合があり、現在伝送線路として使用されているフレキシブルプリント基板やフレキシブルフラットケーブルをコネクタ経由で接続すると、基板材質の違いやコネクタによるインピーダンス不整合が発生し、正しいスキャナ画像データを得ることが困難であるという問題があった。
【００１３】
本発明は、上記の従来技術における問題に鑑みてなされたものであって、データの欠落や変動のない正しいスキャナ画像データを画像信号処理部へと伝送することができる画像読取装置及び画像形成装置を提供することを課題とする。
【００１４】
【課題を解決するための手段】
上記の課題を解決するための請求項１に記載の発明は、フレキシブルプリント基板上に、原稿画像をアナログ電気信号に変換するイメージセンサ及び前記アナログ電気信号をディジタル信号に変換してディジタル画像信号を出力するＡ／Ｄ変換器が搭載されてなるセンサ部と、プリント基板上に、前記ディジタル画像信号に基づいて画像処理を行うための回路部品が搭載され、前記センサ部のフレキシブルプリント基板と距離を置いて配置される画像信号処理部と、フレキシブルプリント基板上に、前記センサ部から出力されるディジタル画像信号を前記画像信号処理部に伝送する伝送線路が形成されてなる伝送部と、を備え、前記センサ部のフレキシブルプリント基板と前記伝送部のフレキシブルプリント基板とを一体に形成したことを特徴とする画像読取装置である。
【００１５】
請求項１に記載の発明によれば、センサ部のフレキシブルプリント基板と伝送部のフレキシブルプリント基板とを一体に形成しているので、センサ部と伝送部が同一の素材からなる回路となり、特性インピーダンスの整合が容易になる。したがって、データの欠落やデータの変動を防ぎ、正しいスキャナ画像データを画像信号処理部へと伝送することができる。
【００１６】
請求項２に記載の発明は、請求項１に記載の画像読取装置において、前記伝送部のフレキシブルプリント基板上に、前記画像信号処理部の回路部品の一部が搭載されていることを特徴とする画像読取装置である。
【００１７】
請求項２に記載の発明によれば、伝送部のフレキシブルプリント基板上に、画像信号処理部の回路部品の一部が搭載されているので、画像信号処理部側の接続によるインピーダンス不整合を改善することができる。したがって、データの欠落やデータの変動を更に防ぎ、正しいスキャナ画像データを画像信号処理部へと伝送することができる。
【００１８】
請求項３に記載の発明は、請求項１に記載の画像読取装置において、前記センサ部のフレキシブルプリント基板上に、前記ディジタル画像信号を送信するドライバ回路が更に搭載され、前記伝送部のフレキシブルプリント基板上の前記画像信号処理部との接続端側に近接した位置に、前記ディジタル画像信号を受信するレシーバ回路が搭載されていることを特徴とする画像読取装置である。
【００１９】
請求項３に記載の発明によれば、伝送部のフレキシブルプリント基板上の画像信号処理部との接続端側に近接した位置に、レシーバ回路が搭載されているので、画像信号処理部側の接続によるインピーダンス不整合を改善することができる。したがって、データの欠落やデータの変動を更に防ぎ、正しいスキャナ画像データを画像信号処理部へと伝送することができる。
【００２０】
請求項４に記載の発明は、請求項１に記載の画像読取装置において、前記センサ部のフレキシブルプリント基板上に、前記ディジタル画像信号を送信するドライバ回路が更に搭載され、前記伝送部のフレキシブルプリント基板上の前記画像信号処理部との接続端側に近接した位置に、前記ディジタル画像信号を受信するレシーバ回路と、前記レシーバ回路により受信されたディジタル画像信号にシェーディング補正を行うシェーディング補正回路が搭載されていることを特徴とする画像読取装置である。
【００２１】
請求項４に記載の発明によれば、伝送部のフレキシブルプリント基板上の画像信号処理部との接続端側に近接した位置に、レシーバ回路とシェーディング補正回路が搭載されているので、画像信号処理部側の接続によるインピーダンス不整合を改善することができる。したがって、データの欠落やデータの変動を更に防ぎ、正しいスキャナ画像データを画像信号処理部へと伝送することができる。
【００２２】
また、請求項４に記載の発明によれば、伝送部のフレキシブルプリント基板上にシェーディング補正回路が搭載されることにより、画像信号処理部にシェーディング補正回路が不要となるので、画像信号処理部側のコストを削減することができる。
【００２３】
請求項５に記載の発明は、請求項３又は４に記載の画像読取装置において、前記ドライバ回路及び前記レシーバ回路は、低電圧差動回路であることを特徴とする画像読取装置である。
【００２４】
ここで、低電圧差動回路とは、低電圧差動の信号を送信又は受信する回路をいう。低電圧差動の信号は、基板の接続部におけるインピーダンス不整合によって、データの欠落や変動が生じやすい。そのため、伝送部のフレキシブルプリント基板上にレシーバ回路が搭載され、データの欠落や変動を防ぐことは、低電圧差動回路において、特に効果的である。
【００２５】
請求項６に記載の発明は、請求項３〜５のいずれか一項に記載の画像読取装置において、前記ドライバ回路は、前記ディジタル画像信号をパラレル信号からシリアル信号に変換する回路を含み、前記レシーバ回路は、前記ディジタル画像信号をシリアル信号からパラレル信号に変換する回路を含むことを特徴とする画像読取装置である。
【００２６】
請求項６に記載の発明によれば、ドライバ回路と、レシーバ回路と、それらの間の伝送線路が同一のフレキシブルプリント基板上に搭載されているので、シリアル信号が伝送される伝送線路におけるデータの欠落やデータの変動を防ぎ、正しいスキャナ画像データを画像信号処理部へと伝送することができる。
【００２７】
請求項７に記載の発明は、請求項１〜６のいずれか一項に記載の画像読取装置を備えたことを特徴とする画像形成装置である。
【００２８】
請求項７に記載の発明によれば、センサ部のフレキシブルプリント基板と伝送部のフレキシブルプリント基板とを一体に形成しているので、センサ部と伝送部が同一の素材からなる回路となり、特性インピーダンスの整合が容易になる。したがって、データの欠落やデータの変動を防ぎ、正しいスキャナ画像データを画像信号処理部へと伝送することができる。
【００２９】
【発明の実施の形態】
以下、図面を参照して本発明の実施の形態を詳細に説明する。ただし、発明の範囲は、図示例に限定されない。
【００３０】
［第１の実施の形態］
まず、本発明を適用した第１の実施の形態について説明する。
図１に、第１の実施の形態における画像形成装置１のブロック図を示す。図１に示すように、画像形成装置１は、画像読取装置２と、画像形成部３と、操作部４と、表示部５と、を備えて構成され、各部はバス１３により接続されている。
【００３１】
画像読取装置２は、スキャナ部６と、センサ部７と、画像信号処理部８と、制御部９と、を備える。
【００３２】
スキャナ部６は、原稿ガラス１４と、光源１５と、ミラー群１６ａ，１６ｂ，１６ｃと、レンズ１７と、から構成される。図９に示した従来の画像読取装置３１と同一の構成部分には、同一の符号を付してその図示及び説明を省略する。
【００３３】
図２に、センサ部７と画像信号処理部８の基板構成を示す。
図２に示すように、センサ部７は、イメージセンサ１８と、増幅器１９と、Ａ／Ｄ変換器２０と、ドライバ回路２１と、を備え、各部品は、フレキシブルプリント基板２２上に搭載されている。
【００３４】
イメージセンサ１８は、図示しない原稿から反射された反射光をアナログ電気信号に変換する。
【００３５】
増幅器１９は、イメージセンサ１８により変換されたアナログ電気信号を増幅して出力する。
【００３６】
Ａ／Ｄ変換器２０は、増幅器１９により増幅された信号をアナログ／ディジタル変換してディジタル画像信号を出力する。
【００３７】
ドライバ回路２１は、パラレル信号をシリアル信号に変換するパラレル／シリアル変換回路を含み、低電圧差動の信号を送信する低電圧差動回路である。
【００３８】
図３を参照して、パラレル／シリアル変換を説明する。図３（ａ）は基準となるクロック信号、図３（ｂ）は１０ビットのパラレルデータ、図３（ｃ）はシリアルデータを示す。パラレル／シリアル変換によって、複数の伝送線路を用いて複数のビットをまとめて伝送するパラレル伝送方式から、１つの伝送線路を用いて１ビットずつ伝送するシリアル伝送方式へと変換される。
【００３９】
ドライバ回路２１は、Ａ／Ｄ変換器２０により出力されたディジタル画像信号を、パラレル信号から低電圧差動のシリアル信号へと変換して、画像信号処理部８側へ送信する。ここで、例えば、パラレル信号は、３Ｖ又は５Ｖのロジック信号であり、シリアル信号は２００ｍＶの低電圧差動信号である。
【００４０】
フレキシブルプリント基板２２は可撓性又は屈曲性を有し、図２に示すように、本体部分とその一端側に延びる延在部とが一体となって略Ｌ字上に形成されている。その本体部分にセンサ部７が搭載され、延在部分に２本の信号線からなる伝送線路２８が搭載されて伝送部２７が形成されている。
【００４１】
フレキシブルプリント基板２２の基板材料としては、例えば、ポリイミド、ポリエステル、ガラスエポキシなどが用いられる。伝送線路２８としては、伝送部２７の屈曲使用のために圧延銅箔等を用いるのが好ましい。
【００４２】
このように、センサ部７と伝送部２７とを、同一の材料で一体化されてなるフレキシブルプリント基板２２上に搭載することで、伝送線路２８の線路インピーダンスとセンサ部７の出力インピーダンスとの不整合を抑制することができる。
【００４３】
伝送部２７の先端（又は、終端）はコネクタ２３を介して画像信号処理部８のレシーバ回路２４の入力端に接続されている。
【００４４】
図２に示すように、画像信号処理部８は、レシーバ回路２４と、シェーディング補正回路２５と、画像処理回路２６と、を備え、各回路はプリント基板２９上に搭載されている。
【００４５】
レシーバ回路２４は、低電圧差動の信号を受信する低電圧差動回路であり、シリアル信号をパラレル信号に変換するシリアル／パラレル変換回路を含む。
【００４６】
シリアル／パラレル変換は、ドライバ回路２１によって行われるパラレル／シリアル変換の逆の変換であり、この変換により、図３（ｃ）に示すようなシリアルデータから図３（ｂ）に示すような１０ビットのパラレルデータへと変換される。
【００４７】
レシーバ回路２４は、ドライバ回路２１から送信されたディジタル画像信号を受信し、受信した低電圧差動のシリアル信号をパラレル信号へと変換する。ここで、例えば、シリアル信号は２００ｍＶの低電圧差動信号であり、パラレル信号は、３Ｖ又は５Ｖのロジック信号である。
【００４８】
シェーディング補正回路２５は、レシーバ回路２４により出力されたディジタル画像信号から光源１５の光量ムラやイメージセンサ１８の感度ムラ等による歪み成分を除去する補正、すなわち、シェーディング補正を行う。
【００４９】
画像処理回路２６は、シェーディング補正が行われたディジタル画像信号に対して、各種画像処理を施す。各種画像処理には、階調性を調整して適切な濃度及びコントラストの画像に変換する階調処理、画像の鮮鋭度を調整する周波数処理、ダイナミックレンジの広い画像を、細部のコントラストを低下させることなく見やすい濃度範囲に収めるためのダイナミックレンジ圧縮処理、画像を拡大／縮小させる拡大／縮小処理等が含まれる。
【００５０】
図１に示すように、制御部９は、ＣＰＵ（Ｃｅｎｔｒａｌ  Ｐｒｏｃｅｓｓｉｎｇ  Ｕｎｉｔ）１０と、ＲＯＭ（Ｒｅａｄ  Ｏｎｌｙ  Ｍｅｍｏｒｙ）１１と、ＲＡＭ（Ｒａｎｄｏｍ  Ａｃｃｅｓｓ  Ｍｅｍｏｒｙ）１２と、から構成され、画像形成装置１の各部を集中制御する。
【００５１】
ＣＰＵ１０は、操作部４から入力される各種指示に従って、ＲＯＭ１１に記録されている画像形成装置１に対応する各種プログラムの中から指定されたプログラムをＲＡＭ１２のワークエリアに展開し、上記プログラムとの協働によって各種処理を実行し、その処理結果をＲＡＭ１２の所定の領域に格納するとともに、表示部５に表示させる。
【００５２】
ＲＯＭ１１は、不揮発性の半導体メモリで構成される。ＲＯＭ１１は、ＣＰＵ１０により実行される各種プログラムやデータ等を記憶する。
【００５３】
ＲＡＭ１２は、書き換え可能な半導体素子で構成される。ＲＡＭ１２は、データが一時的に保存される記憶媒体であり、ＣＰＵ１０が実行するためのプログラムを展開するためのプログラムエリア、操作部４から入力されるデータやＣＰＵ１０による各種処理結果等を保存するためのデータエリア、等が形成される。
【００５４】
画像形成部３は、画像処理回路２６により画像処理が施された画像データに基づいて、電子写真方式により画像を形成する。具体的には、露光部、現像部、定着部等を有し、この露光部がレーザビームやＬＥＤ（Ｌｉｇｈｔ  Ｅｍｉｔｔｉｎｇ  Ｄｉｏｄｅ）により感光ドラムを感光させて画像データに応じた静電潜像を形成し、現像部が感光ドラムにトナーを吸着させる。そして、感光ドラムに吸着させたトナーを用紙に転写し、定着部が用紙にトナーを熱定着させる。
なお、画像形成部３は、インクジェット方式、感熱方式、昇華方式等、他の方法により画像を形成することとしてもよい。
【００５５】
操作部４は、数字キーや各種機能キーを備える。そして、これらのキーが押下された場合には、その押下信号をＣＰＵ１０へ出力する。なお、この操作部４は、表示部５と一体となったタッチパネルにより構成されることとしてもよい。
【００５６】
表示部５は、ＬＣＤ（Ｌｉｑｕｉｄ  Ｃｒｙｓｔａｌ  Ｄｉｓｐｌａｙ）やテレビモニター等で構成され、ＣＰＵ１０からの表示信号に従って、画面表示を行う。
【００５７】
次に、画像形成装置１の動作を説明する。
なお、動作説明の前提として、以下のフローチャートに記述されている各処理を実現するためのプログラムは、ＣＰＵ１０が読み取り可能なプログラムの形態でＲＯＭ１１に格納されており、ＣＰＵ１０は、当該プログラムに従った動作を逐次実行する。
【００５８】
図４は、画像形成装置１により実行される処理を示すフローチャートである。まず、光源１５により原稿に光が照射され（ステップＳ１）、イメージセンサ１８により原稿から反射された反射光がアナログ電気信号に変換される（ステップＳ２）。次に、増幅器１９により、アナログ電気信号が増幅され（ステップＳ３）、Ａ／Ｄ変換器２０によりアナログ電気信号がディジタル画像信号に変換される（ステップＳ４）。そして、ドライバ回路２１によりパラレルデータ構造を有するディジタル画像信号から低電圧差動のシリアルデータ構造を有するディジタル画像信号へと変換され（ステップＳ５）、伝送部２７を通ってレシーバ回路２４まで伝送される（ステップＳ６）。
【００５９】
ドライバ回路２１から送信された低電圧差動のシリアルデータ構造を有するディジタル画像信号は、レシーバ回路２４によりパラレルデータ構造を有するディジタル画像信号へと変換される（ステップＳ７）。そして、シェーディング補正回路２５によりシェーディング補正が行われ（ステップＳ８）、画像処理回路２６により画像処理が施される（ステップＳ９）。
【００６０】
そして、画像処理が施された画像データに基づいて、画像形成部３により画像が形成される（ステップＳ１０）。
【００６１】
以上、第１の実施の形態の画像形成装置１によれば、センサ部７と伝送部２７とを同一のフレキシブルプリント基板２２上に形成しているので、センサ部７と伝送部２７が同一の素材からなる回路となり、特性インピーダンスの整合が容易になる。したがって、データの欠落やデータの変動を防ぎ、正しいスキャナ画像データを画像信号処理部８へと伝送することができる。
【００６２】
［第２の実施の形態］
次に、本発明を適用した第２の実施の形態について説明する。
第２の実施の形態における画像形成装置は、図１に示した第１の実施の形態における画像形成装置１と同様の構成によってなるため、同一の構成部分については同一の符号を付し、図示及び説明を省略する。以下、第２の実施の形態に特徴的な構成及び処理について説明する。
【００６３】
図５に、第２の実施の形態における画像形成装置のセンサ部７と画像信号処理部８の基板構成を示す。図２に示した第１の実施の形態における画像形成装置１のセンサ部７と画像信号処理部８の基板構成と同一の構成部分については同一の符号を付し、その説明を省略する。
【００６４】
レシーバ回路２４は、第１の実施の形態では画像信号処理部８のプリント基板２９上に搭載されていたのに対し、第２の実施の形態では、図５に示すように、伝送部２７のフレキシブルプリント基板２２上の画像信号処理部８との接続端側に近接した位置に搭載されている。このように、レシーバ回路２４を画像信号処理部８との接続端側に近接した位置に搭載した理由は、レシーバ回路２４から出力されるパラレルデータ状態の伝送線路長を極力短くして、データの欠落を最小限に抑えるためである。
【００６５】
第２の実施の形態における画像形成装置の動作については、第１の実施の形態における画像形成装置１の動作と同様であるので、説明を省略する。
【００６６】
以上、第２の実施の形態の画像形成装置によれば、伝送部２７のフレキシブルプリント基板２２上の画像信号処理部８との接続端側に近接した位置に、レシーバ回路２４が搭載されているので、例えば、３Ｖ又は５Ｖのロジック信号として画像信号処理部８側へ伝送することができる。そのため、信頼性の高い信号伝送を行うことができ、画像信号処理部８側の接続によるインピーダンス不整合を改善することができる。
【００６７】
また、ドライバ回路２１と、レシーバ回路２４と、それらの間の伝送線路２８が同一のフレキシブルプリント基板２２上に搭載されているので、シリアル信号が伝送される伝送線路２８におけるデータの欠落やデータの変動を防ぎ、正しいスキャナ画像データを画像信号処理部８へと伝送することができる。
【００６８】
低電圧差動の信号は、基板の接続部におけるインピーダンス不整合によって、データの欠落や変動が生じやすいが、伝送部２７の画像信号処理部８との接続端側に近接した位置にレシーバ回路２４が搭載されているため、データの欠落やデータの変動を防ぐことができる。
【００６９】
なお、レシーバ回路２４は、伝送部２７のフレキシブルプリント基板２２上の画像信号処理部８との接続端側に近接した位置に搭載されていることとしたが、図５において、レシーバ回路２４とコネクタ２３との間隔を開けずに、コネクタ２３と接触するような位置に、レシーバ回路２４が搭載されることとしてもよい。
【００７０】
［第３の実施の形態］
次に、本発明を適用した第３の実施の形態について説明する。
第３の実施の形態における画像形成装置は、図１に示した第１の実施の形態における画像形成装置１と同様の構成によってなるため、同一の構成部分については同一の符号を付し、図示及び説明を省略する。以下、第３の実施の形態に特徴的な構成及び処理について説明する。
【００７１】
図６に、第３の実施の形態における画像形成装置のセンサ部７と画像信号処理部８の基板構成を示す。図２に示した第１の実施の形態における画像形成装置１のセンサ部７と画像信号処理部８の基板構成と同一の構成部分については同一の符号を付し、その説明を省略する。
【００７２】
レシーバ回路２４とシェーディング補正回路２５は、第１の実施の形態では画像信号処理部８のプリント基板２９上に搭載されていたのに対し、第３の実施の形態では、図６に示すように、伝送部２７のフレキシブルプリント基板２２上の画像信号処理部８との接続端側に近接した位置に搭載されている。このように、近接配置とした理由は、パラレルデータ状態での信号伝送線路長を極力短くして、データの欠落を最小限に抑えるためである。
【００７３】
第３の実施の形態における画像形成装置の動作については、第１の実施の形態における画像形成装置１の動作と同様であるので、説明を省略する。
【００７４】
以上、第３の実施の形態の画像形成装置によれば、伝送部２７のフレキシブルプリント基板２２上の画像信号処理部８との接続端側に近接した位置に、レシーバ回路２４とシェーディング補正回路２５が搭載されているので、画像信号処理部８側の接続によるインピーダンス不整合を改善することができる。したがって、データの欠落やデータの変動を更に防ぎ、正しいスキャナ画像データを画像信号処理部８へと伝送することができる。
【００７５】
また、伝送部２７のフレキシブルプリント基板２２上にシェーディング補正回路２５が搭載されることにより、画像信号処理部８にシェーディング補正回路２５が不要となるので、画像信号処理部８側のコストを削減することができる。例えば、画像形成装置が、図６におけるフレキシブルプリント基板２２とプリント基板２９との接続部分でスキャナとプリンタとに分かれ、スキャナがプリンタのオプションである場合には、プリンタにシェーディング補正回路が不要であるので、プリンタ本体側のコストを削減することができる。
【００７６】
なお、レシーバ回路２４とシェーディング補正回路２５は、伝送部２７のフレキシブルプリント基板２２上の画像信号処理部８との接続端側に近接した位置に搭載されていることとしたが、図６において、レシーバ回路２４とシェーディング補正回路２５、又はシェーディング補正回路２５とコネクタ２３との間隔を開けずに、レシーバ回路２４とシェーディング補正回路２５が搭載されることとしてもよい。
【００７７】
［第４の実施の形態］
次に、本発明を適用した第４の実施の形態について説明する。
第４の実施の形態における画像形成装置は、図１に示した第１の実施の形態における画像形成装置１と同様の構成によってなるため、同一の構成部分については同一の符号を付し、図示及び説明を省略する。以下、第４の実施の形態に特徴的な構成及び処理について説明する。
【００７８】
図７に、第４の実施の形態における画像形成装置のセンサ部７と画像信号処理部８の基板構成を示す。図２に示した第１の実施の形態における画像形成装置１のセンサ部７と画像信号処理部８の基板構成と同一の構成部分については同一の符号を付し、その説明を省略する。
【００７９】
ドライバ回路２１は、第１の実施の形態では、ディジタル画像信号をパラレル信号から低電圧差動のシリアル信号へと変換することとしたが、第４の実施の形態では、ディジタル画像信号をパラレルデータ構造のままロジック信号から差動信号へと変換する。
【００８０】
レシーバ回路２４は、第１の実施の形態では、ディジタル画像信号を低電圧差動のシリアル信号からパラレル信号へと変換することとしたが、第４の実施の形態では、ディジタル画像信号をパラレルデータ構造のまま差動信号からロジック信号へと変換する。また、レシーバ回路２４は、第２の実施の形態と同様に、伝送部２７のフレキシブルプリント基板２２上の画像信号処理部８との接続端側に近接した位置に搭載されている。
【００８１】
次に、第４の実施の形態の動作を説明する。
図８は、第４の実施の形態における画像形成装置により実行されるフローチャートである。図４に示す第１の実施の形態における動作と同様の部分には、同一符号を付し、説明を省略する。
【００８２】
Ａ／Ｄ変換器２０により変換されたディジタル画像信号は、ドライバ回路２１によりパラレルデータ構造を有するロジック信号からパラレルデータ構造を有する差動信号へと変換される（ステップＳ１１）。
【００８３】
そして、ドライバ回路２１から送信されたパラレルデータ構造を有する差動信号は、レシーバ回路２４によりパラレルデータ構造を有するロジック信号へと変換される（ステップＳ１２）。
【００８４】
以上、第４の実施の形態の画像形成装置によれば、センサ部７と伝送部２７とを一体に形成しているので、センサ部７と伝送部２７が同一の素材からなる回路となり、特性インピーダンスの整合が容易になる。更に伝送部２７のフレキシブルプリント基板２２上の画像信号処理部８との接続端側に近接した位置に、レシーバ回路２４が搭載されているので、画像信号処理部８側の接続によるインピーダンス不整合を改善することができる。したがって、データの欠落やデータの変動を防ぎ、正しいスキャナ画像データを画像信号処理部８へと伝送することができる。
【００８５】
なお、第１の実施の形態、第３の実施の形態において、ドライバ回路２１がディジタル画像信号をパラレル信号から低電圧差動のシリアル信号へと変換し、レシーバ回路２４が低電圧差動のシリアル信号をパラレル信号へと変換することとしたが、第４の実施の形態と同様に、ドライバ回路２１がパラレルデータ構造のロジック信号をパラレルデータ構造の差動信号へと変換し、レシーバ回路２４がパラレルデータ構造の差動信号をパラレルデータ構造のロジック信号へと変換することとしてもよい。
【００８６】
また、以上の各実施の形態において、ドライバ回路２１がパラレルデータ構造のロジック信号をパラレルデータ構造の低電圧差動信号へと変換し、レシーバ回路２４がパラレルデータ構造の低電圧差動信号をパラレルデータ構造のロジック信号へと変換することとしてもよい。いずれの場合も、ドライバ回路２１における変換とレシーバ回路２４における変換とが対応するように変更することができる。
【００８７】
なお、以上の各実施の形態における記述は、本発明に係る好適な画像形成装置の一例であり、これに限定されるものではない。
また、以上の各実施の形態における画像形成装置を構成する各部の細部構成及び細部動作に関して本発明の趣旨を逸脱することのない範囲で適宜変更可能である。
【００８８】
【発明の効果】
本発明によれば、センサ部のフレキシブルプリント基板と伝送部のフレキシブルプリント基板とを一体に形成しているので、センサ部と伝送部が同一の素材からなる回路となり、特性インピーダンスの整合が容易になる。したがって、データの欠落やデータの変動を防ぎ、正しいスキャナ画像データを画像信号処理部へと伝送することができる。
【００８９】
更に、伝送部のフレキシブルプリント基板上に、レシーバ回路やシェーディング補正回路等、画像信号処理部の回路部品の一部が搭載されることにより、画像信号処理部側の接続によるインピーダンス不整合を改善することができる。
【００９０】
また、伝送部のフレキシブルプリント基板上にシェーディング補正回路が搭載されることにより、画像信号処理部にシェーディング補正回路が不要となるので、画像信号処理部側のコストを削減することができる。
【図面の簡単な説明】
【図１】第１の実施の形態における画像形成装置１のブロック図である。
【図２】第１の実施の形態における画像形成装置１のセンサ部７と画像信号処理部８の基板構成を示す図である。
【図３】パラレル／シリアル変換を説明するための図である。
【図４】第１の実施の形態における画像形成装置１により実行される処理を示すフローチャートである。
【図５】第２の実施の形態における画像形成装置のセンサ部７と画像信号処理部８の基板構成を示す図である。
【図６】第３の実施の形態における画像形成装置のセンサ部７と画像信号処理部８の基板構成を示す図である。
【図７】第４の実施の形態における画像形成装置のセンサ部７と画像信号処理部８の基板構成を示す図である。
【図８】第４の実施の形態における画像形成装置により実行されるフローチャートである。
【図９】従来の画像読取装置３１の模式図である。
【図１０】従来の画像読取装置３１のセンサ部３３と画像信号処理部３５の接続例を示す図である。
【符号の説明】
１  画像形成装置
２  画像読取装置
３  画像形成部
４  操作部
５  表示部
６  スキャナ部
７  センサ部
８  画像信号処理部
９  制御部
１０  ＣＰＵ
１１  ＲＯＭ
１２  ＲＡＭ
１３  バス
１４  原稿ガラス
１５  光源
１６ａ，１６ｂ，１６ｃ  ミラー群
１７  レンズ
１８  イメージセンサ
１９  増幅器
２０  Ａ／Ｄ変換器
２１  ドライバ回路
２２  フレキシブルプリント基板
２３  コネクタ
２４  レシーバ回路
２５  シェーディング補正回路
２６  画像処理回路
２７  伝送部
２８  伝送線路
２９  プリント基板
３１  従来の画像読取装置
３２  スキャナ部
３３  センサ部
３４  伝送部
３５  画像信号処理部
３６ａ，３６ｂ  コネクタ
３７  原稿
３８  制御部
３９  プリント基板
４０  プリント基板
４１  伝送線路
【図１】
2004266601.tif 000003
【図２】
2004266601.tif 000004
【図３】
2004266601.tif 000005
【図４】
2004266601.tif 000006
【図５】
2004266601.tif 000007
【図６】
2004266601.tif 000008
【図７】
2004266601.tif 000009
【図８】
2004266601.tif 000010
【図９】
2004266601.tif 000011
【図１０】
2004266601.tif 000012